(57)【要約】【課題】車両用のインストルメントパネルにおいて、ワイヤハーネスの配置に関し、仮置き冶具を用いず、仮置きに関する作業を軽減することである。【解決手段】インストルメントパネル１０は、車載用機器の取付配置用の配置部を複数有するパネル本体２０と、パネル本体２０への固定用のダクト取付部５０を有する空調用ダクト４０とを備える。ダクト取付部５０は、パネル本体２０と空調用ダクト４０とを固定する固定具７０を通す固定具用穴が設けられた固定部５２と、仮置き部６０とを含む。仮置き部６０には、固定部５２と一体化され、車載用機器に接続される前のアンテナ用ケーブル３０を仮置きする保持スリット６２が設けられる。【選択図】図２
2019151302.tif 000002
【特許請求の範囲】
【請求項１】
車載用機器の取付配置用の配置部を複数有するパネル本体と、
前記パネル本体への固定用のダクト取付部を有する空調用ダクトと、
を備え、
前記ダクト取付部は、
前記パネル本体と前記空調用ダクトとを固定する固定具を通す固定具用穴が設けられた固定部と、
前記固定部と一体化され、前記車載用機器に接続される前のワイヤハーネスを仮置きする保持スリットが設けられた仮置き部と、
を含む、車両用のインストルメントパネル。
【発明の詳細な説明】
【技術分野】
【０００１】
本開示は、車両用のインストルメントパネルに係り、特にワイヤハーネスが接続される車載用機器が配置される車両用のインストルメントパネルに関する。
【背景技術】
【０００２】
車両においてフロントウインドシールド下、前席正面にインストルメントパネルが設けられ、車両の走行に必要な情報を指し示す計器類が配置され、また、オーディオ装置のスピーカー、ヒーターや室内空調の吹き出し口などが装備される。
【０００３】
特許文献１は、インストルメントパネルの下部パネルに上部パネルが組付され、上部パネルに一端が取り付けられたケーブルの他端を下部パネルに接続する構成において、上部パネルを下部パネルに組付する際にケーブルが邪魔になることを指摘する。ここでは、上部パネルを下部パネルに組付する際に、ケーブルの他端側を上部パネルに仮置きするために、上部パネルに着脱でき、下部パネルに設けた取付孔に嵌め込み可能で、ケーブルがテープ等で固定された取付冶具が開示されている。
【先行技術文献】
【特許文献】
【０００４】
【特許文献１】特開２０１２−６６３６４号公報
【発明の概要】
【発明が解決しようとする課題】
【０００５】
インストルメントパネルには複数の車載用機器が配置されるため、これらの間、あるいは、インストルメントパネルの外部の車載用機器との間の電気的接続のために複数のワイヤハーネスが引き回されて配置される。複数の車載用機器をインストルメントパネルに配置する場合、およびワイヤハーネスを車載用機器に接続する場合に、まだ配置位置が定まっていないワイヤハーネスがあると作業の邪魔になる。そのために特別な仮置き冶具を用い、あるいはワイヤハーネスをテープ等で仮止めするのは、インストルメントパネルに合わせた形状の仮置き冶具をその都度作成するコストがかかり、また、取付および取外しの工数がかかる。そこで、ワイヤハーネスの配置に関し、仮置き冶具を用いず、仮置きに関する作業を軽減できる車両用のインストルメントパネルが要望される。
【課題を解決するための手段】
【０００６】
本開示に係る車両用のインストルメントパネルは、車載用機器の取付配置用の配置部を複数有するパネル本体と、パネル本体への固定用のダクト取付部を有する空調用ダクトと、を備え、ダクト取付部は、パネル本体と空調用ダクトとを固定する固定具を通す固定具用穴が設けられた固定部と、固定部と一体化され、車載用機器に接続される前のワイヤハーネスを仮置きする保持スリットが設けられた仮置き部と、を含む。
【０００７】
上記構成によれば、ダクト取付部は、パネル本体と空調用ダクトとを固定するためにすでに設けられている固定部と一体化された仮置き部を含む。これにより、仮置き冶具を用いなくて済む。また、仮置き部は、ワイヤハーネスを仮置きする保持スリットが設けられるので、ワイヤハーネスの仮置き作業は、ワイヤハーネスを保持スリットに仮置きさせ、その後保持スリットから外すだけで済み、仮置きに関する作業を軽減できる。
【発明の効果】
【０００８】
上記構成の車両用のインストルメントパネルによれば、ワイヤハーネスの配置に関し、仮置き冶具を用いず、仮置きに関する作業を軽減できる。
【図面の簡単な説明】
【０００９】
【図１】実施の形態に係る車両用のインストルメントパネルを示す図である。（ａ）は、背面側から見た図であり、（ｂ）は、下面側から見た図である。
【図２】図１（ｂ）におけるＩＩ部の斜視図である。
【図３】図２において、ワイヤハーネスであるアンテナ用ケーブルを除いた図である。
【図４】従来技術におけるダクト取付部である固定部と、ワイヤハーネスとの関係を示す図である。
【図５】実施の形態において、図４の固定部と一体化して仮置き部を設けて、これをダクト取付部とすることを示す図である。
【発明を実施するための形態】
【００１０】
以下に図面を用いて本発明に係る実施の形態につき詳細に説明する。以下において、ワイヤハーネスとして、アンテナ用ケーブルを述べるが、これは説明のための例示であって、インストルメントパネルに取付配置される車載用機器に一端が接続されるワイヤハーネスであればよい。
【００１１】
以下に述べる形状、寸法等は、説明のための例示であって、車両用のインストルメントパネルの仕様等により、適宜変更が可能である。また、以下では、全ての図面において同様の要素には同一の符号を付し、重複する説明を省略する。
【００１２】
図１は、車両用のインストルメントパネル１０を示す図である。インストルメントパネル１０は、車両においてフロントウインドシールド下、前席正面に設けられ、複数の車載用機器が取付配置され、車両の操作上で必要な計器やスイッチ類の集合体としての計器板である。複数の車載用機器としては、スピードメーター、タコメーター、燃料計、水温計、距離計など、車両の走行に必要な情報を指し示す計器類が含まれる。さらに、車両の操作上必要なナビゲーション装置、オーディオ装置、ヒーターや室内空調のダクト等もインストルメントパネル１０に装備される。
【００１３】
図１に、インストルメントパネル１０について直交する三方向として、長手方向、短手方向、高さ方向を示す。長手方向は、インストルメントパネル１０の幅方向に対応し、短手方向は、インストルメントパネル１０の奥行方向に対応する。短手方向の二方向を区別する場合には、インストルメントパネル１０に複数の車載用機器が取付配置された場合に車載用機器の表示面の方向が正面側で、その反対側が背面側である。長手方向の二方向を区別する場合には、短手方向の正面側から背面側の方向を向いて右方向が右側で、左方向が左側である。上下方向は、インストルメントパネル１０において車載用機器の表示が正しく読める向きに配置した場合の上側が上面側で、下側が下面側である。
【００１４】
インストルメントパネル１０が車両に搭載された場合には、インストルメントパネル１０の正面側は車両後方側に対応し、背面側は車両前方側に対応する。インストルメントパネル１０の左側は車両左側に対応し、右側は車両右側に対応し、また、インストルメントパネル１０の上面側は車両上方側に対応し、下面側は車両下方側に対応する。
【００１５】
図１（ａ）は、車両用搭載機器等がまだ取付配置されていない状態のインストルメントパネル１０を背面側から見た図である。以下でも、特に断らない限り、インストルメントパネル１０として、車両用搭載機器等がまだ取付配置されていない状態を示す。（ｂ）は、インストルメントパネル１０を下面側から見た図である。図１において、インストルメントパネル１０は、パネル本体２０、空調用ダクト４０、ダクト取付部５０を含む。図１（ａ），（ｂ）には、アンテナ用ケーブル３０を示す。アンテナ用ケーブルは、車両用搭載機器等が取付配置されて完成状態のインストルメントパネル１０の構成要素である。
【００１６】
パネル本体２０は、車載用機器の取付配置用の配置部を複数有し、樹脂材料を用いて所定の形状に成形されたパネル板である。図１（ａ）には、車載用機器の表示面等がはめ込まれる複数の開口部２１，２２，２３，２４，２５，２６が示される。
【００１７】
アンテナ用ケーブル３０は、インストルメントパネル１０の外側あるいは内部に配置されるアンテナ３２から引き出されるワイヤハーネスで、一端部３４がパネル本体２０に取付配置される送受信機器（図示を省略）に接続される。図１（ａ）に示すワイヤハーネス２８のように、インストルメントパネル１０には複数のワイヤハーネスが配置されるが、アンテナ用ケーブル３０はその一例である。
【００１８】
空調用ダクト４０は、図示しない車室用空調機に一方端が接続され、他方端がインストルメントパネル１０の空調吹き出し口に接続され、空調用の空気が流れるダクトである。  空調用ダクト４０は、パネル本体２０への固定用のダクト取付部５０を備える。ここで、図２から図５を用いて、ダクト取付部５０について説明する。
【００１９】
図２は、図１（ｂ）におけるＩＩ部の斜視図であり、図３は、図２においてアンテナ用ケーブル３０を除いた図である。
【００２０】
ダクト取付部５０は、固定部５２と、仮置き部６０とが一体化された部材である。ダクト取付部５０は、空調用ダクト４０と一体化成型される。または、別部品として成型し、空調用ダクト４０と締結部材によって一体化してもよい。固定部５２と仮置き部６０は、同じ材料で、一体化成型される。例えば、空調用ダクト４０の外装部分が樹脂製である場合には、空調用ダクト４０の外装部分とダクト取付部５０とは、樹脂成型によって一体化したものが用いられる。
【００２１】
固定部５２は、パネル本体２０と空調用ダクト４０とを固定する固定具７０を通す固定具用穴５４（図４、図５参照）が設けられた板状部材である。固定具７０としては、固定用ねじまたはボルトが用いられる。
【００２２】
仮置き部６０は、送受信機器をパネル本体２０に取付配置する作業の際に、アンテナ用ケーブル３０が作業の邪魔にならないように、一時的にアンテナ用ケーブル３０の一端部３４側を仮置きするために設けられる板状部材である。保持スリット６２は、アンテナ用ケーブル３０を仮置きするために仮置き部６０に設けられる段付きスリットである。図３は、図２からアンテナ用ケーブル３０の図示を省略した図で、保持スリット６２の段付き構造が示される。保持スリット６２は、互いにほぼ直交する２つの部分スリット６４，６６で構成される。１つの部分スリット６４は、仮置き部６０の左端部に開口端を有し、インストルメントパネル１０の長手方向にほぼ平行な方向に沿って延びる細長い切込みである。切込みの幅は、アンテナ用ケーブル３０と同じかやや大きめに設定される。もう１つの部分スリット６６は、部分スリット６４に接続し、インストルメントパネル１０の高さ方向にほぼ平行な方向に沿って延びる細長い切込みである。切込みの幅は、アンテナ用ケーブル３０と同じかやや大きめに設定される。
【００２３】
仮置き部６０の保持スリット６２にアンテナ用ケーブル３０を仮置きする場合は、保持スリット６２の開口端から部分スリット６４に沿ってインストルメントパネル１０の長手方向の右側へ向かって挿入する。部分スリット６４の最も右側まで挿入したのち、次いで部分スリット６６に沿ってインストルメントパネル１０の上面側に向かって挿入する。このように２段階の挿入によって、アンテナ用ケーブル３０の仮置き位置が安定して定まる。図２は、アンテナ用ケーブル３０が仮置きされた状態を示す図である。仮置きされたアンテナ用ケーブル３０を保持スリット６２から外すのは、挿入と逆方向に移動させればよい。
【００２４】
図４と図５は、従来技術においてすでに用いられている固定部を利用して、仮置き部６０を設けてダクト取付部５０とする場合に、仮置き部６０の位置の設定について説明する図である。
【００２５】
アンテナ用ケーブル３０の一端部３４は、パネル本体２０に取付配置された送受信機器の接続端子に接続されるので、送受信機器の接続端子の方向を目標方向Ｔとしてパネル本体２０に仮置きされることが好ましい。目標方向Ｔは、パネル本体２０の下方側の面と同じ高さでないことが多いので、その高さに合わせるためには、その高さを有する仮置き冶具になる。その仮置き冶具を用いる場合でも、図１（ａ），（ｂ）に示すように、パネル本体２０の下方側の面は、複数の車載用機器の配置のために複雑な形状を有し、仮置き冶具の配置場所に制約が多い。
【００２６】
図４は、従来技術において、空調用ダクト４０に設けられているダクト取付部５１を示す図である。従来技術のダクト取付部５１には、パネル本体２０と空調用ダクト４０とを固定する固定具７０を通す固定具用穴５４が設けられる。図４に、アンテナ用ケーブル３０の仮置きされずに、自重等によって下面側に垂れている状態を実線で示し、アンテナ用ケーブル３０を、高さ位置も含めて、目標方向Ｔに向けた状態を、二点鎖線で示す。
【００２７】
図５は、従来技術のダクト取付部５１を拡張し、その拡張部分に、アンテナ用ケーブル３０の仮置きに関する目標方向Ｔに合わせた保持スリット６２を設けて仮置き部６０とすることを示す図である。仮置き部６０は、ダクト取付部５１と一体化している拡張部分である。このように、従来技術のダクト取付部５１を固定部５２として利用し、これと一体化して、アンテナ用ケーブル３０の仮置きに関する目標方向Ｔに合わせた保持スリット６２を有する仮置き部６０を設けて、図１から図３のダクト取付部５０となる。
【００２８】
上記では、固定部５２を高さ方向の下面側に延ばして仮置き部６０とした。これは説明のための例示であって、高さ方向の上面側に延ばしてもよい。目標方向Ｔによっては固定部５２を長手方向の右側または左側に延ばしてもよい。高さ方向と長さ方向を組み合わせた方向に延ばしてもよい。上記では、空調用ダクト４０はインストルメントパネル１０の右側に配置されるものとしたが、インストルメントパネル１０の左側に空調用ダクト４０が設けられる場合であってもよい。さらに、インストルメントパネル１０の右側と左側の両側にそれぞれ空調用ダクト４０が配置されてもよい。これらの場合においても、目標方向Ｔに適した仮置き部６０を設けることができる。
【００２９】
上記では、保持スリット６２は、仮置き部６０の左端部を開口端としたが、これは説明のための例示であって、開口端の位置は、仮置き部６０の右端部でもよく、上端部、下端部でもよい。保持スリット６２の二段構造は、開口端の位置によって適宜変更してよい。
【００３０】
上記構成の車両用のインストルメントパネル１０によれば、空調用ダクト４０のダクト取付部５０に仮置き部６０が設けられるので、パネル本体２０にワイヤハーネスの仮置きのための取付冶具を設けるよりも、仮置きの目標方向Ｔに対する自由度を高くできる。これにより、ワイヤハーネスの配置に関し、仮置き冶具を用いず、さらに、仮置きに関する作業を軽減できる。
【符号の説明】
【００３１】
１０  （車両用の）インストルメントパネル、２０  パネル本体、２１，２２，２３，２４，２５，２６  開口部、２８  ワイヤハーネス、３０  アンテナ用ケーブル（ワイヤハーネス）、３２  アンテナ、３４  一端部、４０  空調用ダクト、５０，５１  ダクト取付部、５２  固定部、５４  固定具用穴、６０  仮置き部、６２  保持スリット、６４，６６  部分スリット、７０  固定具。
【図１】
2019151302.tif 000003
【図２】
2019151302.tif 000004
【図３】
2019151302.tif 000005
【図４】
2019151302.tif 000006
【図５】
2019151302.tif 000007